(57)【要約】【課題】      画像読取装置が支持される部材の変形に依存せず、読取り画像の画質を保持すること。【解決手段】  前記画像読取装置（ＩＩＴ）の左右方向一側部の前後方向前側で支持される前側被支持部（８１）と、前記画像読取装置（ＩＩＴ）の左右方向一側部の前後方向後側で支持される後側被支持部（８２）と、前記画像読取装置（ＩＩＴ）の左右方向他側部の前後方向中央部で支持される中央被支持部（８６）とを備えたことを特徴とする画像読取装置。【選択図】    図１１
2005260665.tif 000002
【特許請求の範囲】
【請求項１】
下記の構成要件（Ａ01）〜（Ａ03）を備えたことを特徴とする画像読取装置、
（Ａ01）前記画像読取装置の左右方向一側部の前後方向前側で支持される前側被支持部、
（Ａ02）前記画像読取装置の左右方向一側部の前後方向後側で支持される後側被支持部、
（Ａ03）前記画像読取装置の左右方向他側部の前後方向中央部で支持される中央被支持部。
【請求項２】
下記の構成要件（Ａ04）を備えたことを特徴とする請求項１記載の画像読取装置、
（Ａ04）平面図で前記中央被支持部と前記画像読取装置の重心とを結ぶ直線と、前記前側被支持部と前記後側被支持部とを結ぶ直線とが直交するように配置された前記前側被支持部、前記後側被支持部及び前記中央被支持部。
【請求項３】
下記の構成要件（Ａ05）を備えたことを特徴とする請求項１または２記載の画像読取装置、
（Ａ05）前後方向に移動可能に構成された前記中央被支持部。
【請求項４】
下記の構成要件（Ｂ01），（Ｂ02）を備えたことを特徴とする画像形成装置、
（Ｂ01）原稿の画像を読取る画像読取装置、
（Ｂ02）前記画像読取装置の左右方向一側部の前後方向前側を支持する前側支持部及び前記画像読取装置の左右方向一側部の前後方向後側を支持する後側支持部を有する２点支持部材と、
前記画像読取装置の左右方向他側部の前後方向中央部を支持する中央支持部を有する中央支持部材と、
を有し、前記画像読取装置で読取った画像に基づいてシートに画像を記録する画像記録装置。
【請求項５】
下記の構成要件（Ｂ03）を備えたことを特徴とする請求項４記載の画像形成装置、
（Ｂ03）平面図で前記中央支持部と前記画像読取装置の重心とを結ぶ直線と、前記前側支持部と前記後側支持部とを結ぶ直線とが直交するように配置された前記前側支持部、前記後側支持部及び前記中央支持部。
【請求項６】
下記の構成要件（Ｂ04）を備えたことを特徴とする請求項４または５記載の画像形成装置、
（Ｂ04）前後方向に移動可能に構成された前記中央支持部。
【請求項７】
下記の構成要件（Ｂ05）を備えたことを特徴とする請求項４ないし６のいずれか記載の画像形成装置、
（Ｂ05）前記画像記録装置の上部に支持され且つ、前記画像読取装置の側面方向から前記画像記録装置に固定支持される前記画像読取装置。
【請求項８】
原稿の画像を読取る画像読取装置の左右方向一側部の前後方向前側を支持する前側一側部支持部材と、前記画像読取装置の左右方向一側部の前後方向後側を支持する後側一側部支持部材と、前記画像読取装置の左右方向他側部の前後方向中央部を支持する中央他側部支持部材と、を有する光学系調整用治具で前記画像読取装置を支持した状態で、前記画像読取装置に支持された画像読取用の光学系を調整することを特徴とする画像読取り装置の光学系調整方法。
【請求項９】
下記の構成要件（Ｄ01）〜（Ｄ06）を備えたことを特徴とする画像読取装置の光学系調整用治具、
（Ｄ01）平板状の治具本体、
（Ｄ02）前記治具本体上に支持され且つ、原稿の画像を読み取る画像読取装置の左右方向一側部の前側を支持する前側一側部支持部材、
（Ｄ03）前記治具本体上に支持され且つ、前記画像読取装置の前記一側部の後側を支持する後側一側部支持部材、
（Ｄ04）前記治具本体上に支持され且つ、前記画像読取装置の前記一側部の反対側である他側部の前側を支持する前側他側部支持部材、
（Ｄ05）前記治具本体上に支持され且つ、前記画像読取装置の前記他側部の後側を支持する後側他側部支持部材、
（Ｄ06）前記治具本体上に支持され且つ、前記画像読取装置の左右方向他側部の前後方向中央部を支持する中央他側部支持部材。
【請求項１０】
下記の構成要件（Ｄ07）を備えたことを特徴とする請求項９記載の画像読取装置の光学系調整用治具、
（Ｄ07）前記治具本体に対して着脱可能に装着される前記中央支持部材。
【請求項１１】
下記の構成要件（Ｄ08）を備えたことを特徴とする請求項９または１０記載の画像読取装置の光学系調整用治具、
（Ｄ08）前記各支持部材に支持された画像読取装置が、前記光学系調整用治具から離脱することを防止するための離脱防止部材。
【発明の詳細な説明】
【技術分野】
【０００１】
本発明は、原稿画像を読取る画像読取装置、前記画像読取装置を備えた画像形成装置、前記画像読取装置の光学系調整方法及び前記画像読取装置の光学系調整用治具に関する。
【背景技術】
【０００２】
スキャナやＩＩＴ（イメージインプットターミナル）等の従来の画像読取装置は、原稿に光を照射する光源や反射ミラー等を有する光学系を介して、原稿画像の反射光または透過光を撮像素子に入力し、画像を読取っている。このような画像読取装置では、光学系を調整することにより、読取り画像の画質を調整している。しかし、光学系が調整された後で、画像読取装置自体が変形したり撓んだ場合、反射光や透過光が歪んでしまい、読取った画像が劣化してしまうという問題がある。特に、設置部の平面度（平面からのズレ）が悪い場合、画像読取装置の変形や撓みにより、画質（特に読取り画像の直角度（直角となる部分の直角からのズレ））が劣化しやすくなる。
【０００３】
前記画像読取装置を備えたＦＡＸ、複写機、複合機等の画像形成装置では、前記画像読取装置を前側左側部、後側左側部、前側右側部及び後側右側部の４点（または４点以上）で支持する技術（Ｊ01）が主流である。
（Ｊ01）特許文献１（特開平１０−２６８５４号公報）及び特許文献２（特開平８−３３９１０８号公報）記載の技術
特許文献１、２には、画像形成装置の横幅方向に延び、画像記録装置の後側に配置されたリアプレートフレーム（後側板４１、排紙部後側板１３）と、画像記録装置の前側に配置され且つ横幅方向に離れて配置された一対の支持部材（支柱４２、縦ステー１４ａ，１４ｂ）とにより、画像読取り装置の後縁と、画像読取り装置前側の左右両端部を支持する画像形成装置が記載されている。
【０００４】
また、前記画像読取装置を前側左側部、後側左側部及び後側右側部の３箇所で支持する技術（Ｊ02）も従来公知である。
（Ｊ02）特許文献３（特開平１１−２５８８８５号公報）、特許文献４（特開２０００−１７４９５６号公報）、特許文献５（特開２００２−４４３２３号公報）記載の技術
特許文献３〜５には、画像読取り装置を３箇所で支持する（３点支持する）画像形成装置が記載されている。
【０００５】
【特許文献１】特開平１０−２６８５４号公報（「００２０」〜「００２３」、第１図〜第３図）
【特許文献２】特開平８−３３９１０８号公報（「００１３」〜「００１７」、第２図）
【特許文献３】特開平１１−２５８８８５号公報（「０００９」〜「００１０」、第２図）
【特許文献４】特開２０００−１７４９５６号公報（「００３３」〜「００４０」、第２図、第３図）
【特許文献５】特開２００２−４４３２３号公報（第２図）
【発明の開示】
【発明が解決しようとする課題】
【０００６】
（従来技術（Ｊ01）の問題点）
前記従来技術（Ｊ01）では、画像記録装置（ＩＯＴ）の上方の４箇所で画像読取装置（ＩＩＴ）を支持しているので、画像読取装置（ＩＩＴ）の位置が４箇所で規制される。通常、画像読取装置（ＩＩＴ）の光学系の調整がされた後に、画像記録装置（ＩＯＴ）に装着されるので、画像記録装置（ＩＯＴ）の積載部の平面度が悪かったり、歪みや撓みがあると、画像記録装置（ＩＯＴ）に装着された画像読取装置（ＩＩＴ）も画像記録装置（ＩＯＴ）の歪み等に追従して変形しやすいという問題がある。また、ＩＩＴの重量によってＩＯＴが変形したり撓んだ場合、同様にＩＯＴの変形等に追従して変形等しやすいという問題がある。この問題を解決するためには、ＩＯＴの精度を高め、歪み等を少なくすることが考えられるが、ＩＯＴの精度を高めるとＩＯＴの製造コストが高くなるという問題がある。また、ＩＯＴの剛性を高めたり、特殊な治具を使用したりしてＩＩＴの重量による変形等を抑えることも考えられるが、やはりコストが高くなるという問題がある。
【０００７】
（従来技術（Ｊ02）の問題点）
前記従来技術（Ｊ02）では、ＩＩＴを３箇所で支持しているが、前側右側部に部材が設けられていないので、特許文献３、４記載の技術のように角パイプを使用してもＩＩＴの重量によりＩＯＴが撓んでしまう問題がある。特に、部材が設けられていない右前側に撓んだ場合、４箇所で支持する場合に比べ、前側左側部、後側左側部及び後側右側部の支持位置に作用する力が大きくなり、ＩＩＴの歪みが大きくなりやすい。したがって、読取り画像の画質がさらに劣化しやすいという問題がある。
【０００８】
本発明は、前述の事情に鑑み、次の記載内容（Ｏ01），（Ｏ02）を技術的課題とする。
（Ｏ01）画像読取装置での読取り画像の画質の低下を抑えること。
（Ｏ02）画像読取装置が支持される部材の変形に依存せず、読取り画像の画質を保持すること。
【課題を解決するための手段】
【０００９】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１０】
（第１発明）
前記技術的課題を解決するために、第１発明の画像読取装置は、下記の構成要件（Ａ01）〜（Ａ03）を備えたことを特徴とする。
（Ａ01）前記画像読取装置（ＩＩＴ）の左右方向一側部の前後方向前側で支持される前側被支持部（８１）、
（Ａ02）前記画像読取装置（ＩＩＴ）の左右方向一側部の前後方向後側で支持される後側被支持部（８２）、
（Ａ03）前記画像読取装置（ＩＩＴ）の左右方向他側部の前後方向中央部で支持される中央被支持部（８６，１８３〜１８６）。
【００１１】
（第１発明の作用）
前記構成要件（Ａ01）〜（Ａ03）を備えた第１発明の画像読取装置（ＩＩＴ）では、画像読取装置（ＩＩＴ）は、前側被支持部（８１）により前記画像読取装置（ＩＩＴ）の左右方向一側部の前後方向前側で支持される。また、画像読取装置（ＩＩＴ）は、後側被支持部（８２）により、前記画像読取装置（ＩＩＴ）の左右方向一側部の前後方向後側で支持される。そして、画像読取装置（ＩＩＴ）は、中央被支持部（８６，１８３〜１８６）により前記画像読取装置（ＩＩＴ）の左右方向他側部の前後方向中央部で支持される。即ち、第１発明の画像読取装置（ＩＩＴ）は、前側被支持部（８１）、後側被支持部（８２）及び中央被支持部（８６，１８３〜１８６）の３箇所で支持される３箇所支持方法に特徴がある。
【００１２】
したがって、第１発明の画像読取装置（ＩＩＴ）では、前記画像読取装置（ＩＩＴ）の左右方向他側部は、中央被支持部（８６，１８３〜１８６）により前後方向中央部で支持されるので、画像読取装置（ＩＩＴ）の３箇所の角部、即ち、前側一側部、後側一側部及び後側他側部で支持される場合と比べ、中央被支持部（８６，１８３〜１８６）と画像読取装置（ＩＩＴ）の重心（Ｇ０′，Ｇ１，Ｇ２）の位置との偏りが少ない。したがって、重心の位置が偏っている従来の場合と比べ、画像読取装置（ＩＩＴ）を変形させたり撓ませる力等が少なくなり、画像読取装置（ＩＩＴ）の変形や撓み、歪み等の発生を抑えることができる。この結果、画像読取装置（ＩＩＴ）の読取り画像の画質（直角度等）が低下することを抑えることができる。
【００１３】
また、画像読取装置（ＩＩＴ）が設置される床や机の平面度が悪かったり、画像読取装置（ＩＩＴ）が支持される部材が歪んでいると、４箇所で支持される従来の場合、１箇所が浮いてしまうことがあり、浮いた１箇所に力を作用させて固定設置すると画像読取装置（ＩＩＴ）が変形等してしまう。これに対して、第１発明の画像読取装置（ＩＩＴ）は、３箇所で支持されているので、４箇所で支持される場合と比較して、設置される場所の平面度の影響を受けにくい。この結果、画像読取装置（ＩＩＴ）が支持される場所の平面度や支持される部材の変形や歪みに依存せず、読取り画像の画質を保持することができる。
【００１４】
（第１発明の形態１）
第１発明の形態１の画像読取装置（ＩＩＴ）は、前記第１発明において、下記の構成要件（Ａ04）を備えたことを特徴とする。
（Ａ04）平面図で前記中央被支持部（８６，１８３〜１８６）と前記画像読取装置（ＩＩＴ）の重心（Ｇ０′，Ｇ１，Ｇ２）とを結ぶ直線（６９）と、前記前側被支持部（８１）と前記後側被支持部（８２）とを結ぶ直線（６８）とが直交するように配置された前記前側被支持部（８１）、前記後側被支持部（８２）及び前記中央被支持部（８６，１８３〜１８６）。
【００１５】
（第１発明の形態１の作用）
前記構成要件（Ａ04）を備えた第１発明の形態１の画像読取装置（ＩＩＴ）では、前記中央被支持部（８６，１８３〜１８６）と前記画像読取装置（ＩＩＴ）の重心（Ｇ０′，Ｇ１，Ｇ２）とを結ぶ直線（６９）と、前記前側被支持部（８１）と前記後側被支持部（８２）とを結ぶ直線（６８）とが直交するように、前記前側被支持部（８１）、前記後側被支持部（８２）及び前記中央被支持部（８６，１８３〜１８６）が配置されている。したがって、左右方向他側部の前後方向中央部の１箇所で支持される中央被支持部（８６，１８３〜１８６）の位置が、画像読取装置（ＩＩＴ）の重心（Ｇ０′，Ｇ１，Ｇ２）を通過し、前記前側被支持部（８１）と前記後側被支持部（８２）とを結ぶ直線（６８）に直交する直線の延長線上に配置されているので、画像読取装置（ＩＩＴ）が安定した状態で支持される。
【００１６】
（第１発明の形態２）
第１発明の形態２の画像読取装置（ＩＩＴ）は、前記第１発明または第１発明の形態１において、下記の構成要件（Ａ05）を備えたことを特徴とする。
（Ａ05）前後方向に移動可能に構成された前記中央被支持部（１８３〜１８６）。
（第１発明の形態２の作用）
前記構成要件（Ａ05）を備えた第１発明の形態２の画像読取装置（ＩＩＴ）では、前記中央被支持部（１８３〜１８６）が前後方向に移動可能に構成されている。したがって、自動原稿搬送装置等の部材が装着されたりして、画像読取装置（ＩＩＴ）の重心（Ｇ０′，Ｇ１，Ｇ２）の位置が変動しても中央部被支持部の位置を移動させることができる。この結果、重心が移動しても画像読取装置（ＩＩＴ）が安定して支持される状態に保持することができる。
【００１７】
（第２発明）
前記技術的課題を解決するために、第２発明の画像形成装置は、下記の構成要件（Ｂ01），（Ｂ02）を備えたことを特徴とする。
（Ｂ01）原稿の画像を読取る画像読取装置（ＩＩＴ）、
（Ｂ02）前記画像読取装置（ＩＩＴ）の左右方向一側部の前後方向前側を支持する前側支持部（４１ｃ）及び前記画像読取装置（ＩＩＴ）の左右方向一側部の前後方向後側を支持する後側支持部（４１ｄ）を有する２点支持部材（１２）と、
前記画像読取装置（ＩＩＴ）の左右方向他側部の前後方向中央部を支持する中央支持部（５１ａ、１５３）を有する中央支持部材（１３，１３′）と、
を有し、前記画像読取装置（ＩＩＴ）で読取った画像に基づいてシートに画像を記録する画像記録装置（ＩＯＴ）。
【００１８】
（第２発明の作用）
前記構成要件（Ｂ01），（Ｂ02）を備えた第２発明の画像形成装置では、画像読取装置（ＩＩＴ）は、原稿の画像を読取る。画像記録装置（ＩＯＴ）は、前記画像読取装置（ＩＩＴ）で読取った画像に基づいてシートに画像を記録する。前記画像記録装置（ＩＯＴ）の２点支持部材（１２）の前側支持部（４１ｃ）は、前記画像読取装置（ＩＩＴ）の左右方向一側部の前後方向前側を支持する。また、後側支持部（４１ｄ）は、前記画像読取装置（ＩＩＴ）の左右方向一側部の前後方向後側を支持する。そして、中央支持部材（１３，１３′）の中央支持部（５１ａ、１５３）は、前記画像読取装置（ＩＩＴ）の左右方向他側部の前後方向中央部を支持する。
【００１９】
したがって、第２発明の画像形成装置では、前記画像読取装置（ＩＩＴ）の左右方向他側部は、中央支持部（５１ａ、１５３）により前後方向中央部で支持されるので、画像読取装置（ＩＩＴ）の３箇所の角部、即ち、前側一側部、後側一側部及び後側他側部で支持される場合と比べ、中央支持部（５１ａ、１５３）と画像読取装置（ＩＩＴ）の重心（Ｇ０′，Ｇ１，Ｇ２）の位置との偏りが少ない。したがって、重心の位置が偏っている従来の場合と比べ、画像読取装置（ＩＩＴ）を変形させたり撓ませる力等が少なくなり、画像読取装置（ＩＩＴ）の変形や撓み、歪み等の発生を抑えることができる。この結果、画像読取装置（ＩＩＴ）の読取り画像の画質（直角度等）が低下することを抑えることができる。
【００２０】
また、画像読取装置（ＩＩＴ）を支持する画像記録装置（ＩＯＴ）が変形したり歪んだり撓んでいると、４箇所で支持する従来技術の場合、４箇所中１箇所が浮いてしまうことがあり、浮いた１箇所に力を作用させてネジ等により固定設置すると画像読取装置（ＩＩＴ）が変形等してしまう。これに対して、第２発明の画像形成装置では、３箇所で支持されているので、４箇所で支持される場合と比較して、画像記録装置（ＩＯＴ）の歪み等の影響を受けにくい。この結果、画像読取装置（ＩＩＴ）が支持される画像記録装置（ＩＯＴ）の部材の変形や歪み等に依存せず、読取り画像の画質を保持することができる。
【００２１】
（第２発明の形態１）
第２発明の形態１の画像形成装置は、前記第２発明において、下記の構成要件（Ｂ03）を備えたことを特徴とする。
（Ｂ03）平面図で前記中央支持部（５１ａ、１５３）と前記画像読取装置（ＩＩＴ）の重心（Ｇ０′，Ｇ１，Ｇ２）とを結ぶ直線（６９）と、前記前側支持部（４１ｃ）と前記後側支持部（４１ｄ）とを結ぶ直線（６８）とが直交するように配置された前記前側支持部（４１ｃ）、前記後側支持部（４１ｄ）及び前記中央支持部（５１ａ、１５３）。
【００２２】
（第２発明の形態１の作用）
前記構成要件（Ｂ03）を備えた第２発明の形態１の画像形成装置では、平面図で前記中央支持部（５１ａ、１５３）と前記画像読取装置（ＩＩＴ）の重心（Ｇ０′，Ｇ１，Ｇ２）とを結ぶ直線（６９）と、前記前側支持部（４１ｃ）と前記後側支持部（４１ｄ）とを結ぶ直線（６８）とが直交するように、前記前側支持部（４１ｃ）、前記後側支持部（４１ｄ）及び前記中央支持部（５１ａ、１５３）が配置されている。したがって、中央支持部（５１ａ、１５３）の位置が、画像読取装置（ＩＩＴ）の重心（Ｇ０′，Ｇ１，Ｇ２）を通過し、前記前側支持部（４１ｃ）と前記後側支持部（４１ｄ）とを結ぶ直線（６８）に直交する直線の延長線上に配置されているので、画像読取装置（ＩＩＴ）が安定した状態で画像記録装置（ＩＯＴ）に支持される。
【００２３】
（第２発明の形態２）
第２発明の形態２の画像形成装置は、前記第２発明または第２発明の形態１において、下記の構成要件（Ｂ04）を備えたことを特徴とする。
（Ｂ04）前後方向に移動可能に構成された前記中央支持部（５１ａ、１５３）。
（第２発明の形態２の作用）
前記構成要件（Ｂ04）を備えた第２発明の形態２の画像形成装置では、前記中央支持部（５１ａ、１５３）が前後方向に移動可能に構成されている。したがって、自動原稿搬送装置等の部材が装着されたりして、画像読取装置（ＩＩＴ）の重心（Ｇ０′，Ｇ１，Ｇ２）の位置が変動しても中央支持部（５１ａ、１５３）の位置を移動させることができる。この結果、重心が移動しても、中央支持部（５１ａ、１５３）の位置を移動させて、画像読取装置（ＩＩＴ）を安定した状態で支持することができる。
【００２４】
（第２発明の形態３）
第２発明の形態３の画像形成装置は、前記第２発明または第２発明の形態１、２において、下記の構成要件（Ｂ05）を備えたことを特徴とする。
（Ｂ05）前記画像記録装置（ＩＯＴ）の上部に支持され且つ、前記画像読取装置（ＩＩＴ）の側面方向から前記画像記録装置（ＩＯＴ）に固定支持される前記画像読取装置（ＩＩＴ）。
（第２発明の形態３の作用）
前記構成要件（Ｂ05）を備えた第２発明の形態３の画像形成装置では、前記画像読取装置（ＩＩＴ）は、前記画像記録装置（ＩＯＴ）の上部に支持され且つ、前記画像読取装置（ＩＩＴ）の側面方向から前記画像記録装置（ＩＯＴ）に固定支持される。画像記録装置（ＩＯＴ）が変形したり歪んでいる場合に、画像読取装置（ＩＩＴ）を上方から固定支持すると、画像読取装置（ＩＩＴ）が画像記録装置（ＩＯＴ）の歪み等に追従して変形する可能性がある。しかしながら、第２発明の形態３の画像形成装置では、画像読取装置（ＩＩＴ）は、前記画像読取装置（ＩＩＴ）の側面方向から前記画像記録装置（ＩＯＴ）に固定支持されるので、画像読取装置（ＩＩＴ）の歪みの影響を受けにくい。この結果、画像読取装置（ＩＩＴ）が支持される画像記録装置（ＩＯＴ）の変形や歪み等に依存せず、読取り画像の画質を保持することができる。
【００２５】
（第３発明）
前記技術的課題を解決するために第３発明の光学系調整方法は、
原稿の画像を読取る画像読取装置（ＩＩＴ）の左右方向一側部の前後方向前側を支持する前側一側部支持部材（１０３，１０３′）と、前記画像読取装置（ＩＩＴ）の左右方向一側部の前後方向後側を支持する後側一側部支持部材（１０４，１０４′）と、前記画像読取装置（ＩＩＴ）の左右方向他側部の前後方向中央部を支持する中央他側部支持部材（１０９）と、を有する光学系調整用治具（１０１，１０１′，１０１″）で前記画像読取装置（ＩＩＴ）を支持した状態で、前記画像読取装置（ＩＩＴ）に支持された画像読取用の光学系を調整することを特徴とする。
【００２６】
（第３発明の作用）
前記構成要件を備えた第３発明の光学系調整方法では、原稿の画像を読取る画像読取装置（ＩＩＴ）の左右方向一側部の前後方向前側を支持する前側一側部支持部材（１０３，１０３′）と、前記画像読取装置（ＩＩＴ）の左右方向一側部の前後方向後側を支持する後側一側部支持部材（１０４，１０４′）と、前記画像読取装置（ＩＩＴ）の左右方向他側部の前後方向中央部を支持する中央他側部支持部材（１０９）と、を有する光学系調整用治具（１０１，１０１′，１０１″）で前記画像読取装置（ＩＩＴ）を支持した状態で、前記画像読取装置（ＩＩＴ）に支持された画像読取用の光学系が調整される。したがって、第３発明の光学系調整方法では、光学系調整用治具（１０１，１０１′，１０１″）の前側一側部支持部材（１０３，１０３′）、後側一側部支持部材（１０４，１０４′）及び中央他側部支持部材（１０９）の３箇所で支持された状態で、光学系が調整される。即ち、第３発明の光学系調整方法で光学系が調整された画像読取装置（ＩＩＴ）は、前側一側部、後側一側部及び中央他側部が支持された状態で使用できる。
【００２７】
この結果、第３発明の光学系調整方法で光学系が調整された画像読取装置（ＩＩＴ）では、前記画像読取装置（ＩＩＴ）の左右方向他側部は、中央支持部（５１ａ、１５３）により前後方向中央部で支持された状態で使用できるので、画像読取装置（ＩＩＴ）の３箇所の角部、即ち、前側一側部、後側一側部及び後側他側部で支持される場合と比べ、中央支持部（５１ａ、１５３）と画像読取装置（ＩＩＴ）の重心（Ｇ０′，Ｇ１，Ｇ２）の位置との偏りが少ない。したがって、重心の位置が偏っている従来の場合と比べ、画像読取装置（ＩＩＴ）を変形させたり撓ませる力等が少なくなり、画像読取装置（ＩＩＴ）の変形や撓み、歪み等の発生を抑えることができる。この結果、画像読取装置（ＩＩＴ）の読取り画像の画質（直角度等）が低下することを抑えることができる。
【００２８】
また、画像読取装置（ＩＩＴ）を支持する画像記録装置（ＩＯＴ）が変形したり歪んだり撓んでいると、４箇所で支持する従来技術の場合、４箇所中１箇所が浮いてしまうことがあり、浮いた１箇所に力を作用させてネジ等により固定設置すると画像読取装置（ＩＩＴ）が変形等してしまう。これに対して、第３発明の光学系調整方法で光学系が調整された画像読取装置（ＩＩＴ）では、３箇所で支持されているので、４箇所で支持される場合と比較して、画像記録装置（ＩＯＴ）の歪み等の影響を受けにくい。この結果、画像読取装置（ＩＩＴ）が支持される画像記録装置（ＩＯＴ）の部材の変形や歪み等に依存せず、読取り画像の画質を保持することができる。
【００２９】
（第４発明）
前記技術的課題を解決するために第４発明の画像読取装置（ＩＩＴ）の光学系調整用治具（１０１，１０１′，１０１″）は、下記の構成要件（Ｄ01）〜（Ｄ06）を備えたことを特徴とする。
（Ｄ01）平板状の治具本体（１０２）、
（Ｄ02）前記治具本体（１０２）上に支持され且つ、原稿の画像を読み取る画像読取装置（ＩＩＴ）の左右方向一側部の前側を支持する前側一側部支持部材（１０３，１０３′）、
（Ｄ03）前記治具本体（１０２）上に支持され且つ、前記画像読取装置（ＩＩＴ）の前記一側部の後側を支持する後側一側部支持部材（１０４，１０４′）、
（Ｄ04）前記治具本体（１０２）上に支持され且つ、前記画像読取装置（ＩＩＴ）の前記一側部の反対側である他側部の前側を支持する前側他側部支持部材（１０６）、
（Ｄ05）前記治具本体（１０２）上に支持され且つ、前記画像読取装置（ＩＩＴ）の前記他側部の後側を支持する後側他側部支持部材（１０７）、
（Ｄ06）前記治具本体（１０２）上に支持され且つ、前記画像読取装置（ＩＩＴ）の左右方向他側部の前後方向中央部を支持する中央他側部支持部材（１０９）。
【００３０】
（第４発明の作用）
前記構成要件（Ｄ01）〜（Ｄ06）を備えた第４発明の画像読取装置（ＩＩＴ）の光学系調整用治具（１０１，１０１′，１０１″）では、平板状の治具本体（１０２）上に支持された前側一側部支持部材（１０３，１０３′）は、原稿の画像を読み取る画像読取装置（ＩＩＴ）の左右方向一側部の前側を支持する。後側一側部支持部材（１０４，１０４′）は、前記画像読取装置（ＩＩＴ）の前記一側部の後側を支持し、前側他側部支持部材（１０６）は、前記画像読取装置（ＩＩＴ）の前記一側部の反対側である他側部の前側を支持する。そして、後側他側部支持部材（１０７）は、前記画像読取装置（ＩＩＴ）の前記他側部の後側を支持し、中央他側部支持部材（１０９）は、前記画像読取装置（ＩＩＴ）の左右方向他側部の前後方向中央部を支持する。
【００３１】
したがって、第４発明の画像読取装置（ＩＩＴ）の光学系調整用治具（１０１，１０１′，１０１″）では、前側一側部支持部材（１０３，１０３′）、後側一側部支持部材（１０４，１０４′）、前側他側部支持部材（１０６）および後側他側部支持部材（１０７）の４箇所で支持された状態で画像読取装置（ＩＩＴ）を組み立てることができる。そして、前側一側部支持部材（１０３，１０３′）、後側一側部支持部材（１０４，１０４′）および中央他側部支持部材（１０９）の３箇所で支持された状態で画像読取装置（ＩＩＴ）の光学系を調整することができる。即ち、第４発明の画像読取装置（ＩＩＴ）の光学系調整用治具（１０１，１０１′，１０１″）を使用して光学系が調整された画像読取装置（ＩＩＴ）は、前側一側部、後側一側部及び中央他側部が支持された状態で使用できる。
【００３２】
この結果、第４発明の画像読取装置（ＩＩＴ）の光学系調整用治具（１０１，１０１′，１０１″）を使用して光学系が調整された画像読取装置（ＩＩＴ）では、前記画像読取装置（ＩＩＴ）の左右方向他側部は、中央支持部（５１ａ、１５３）により前後方向中央部で支持された状態で使用できるので、画像読取装置（ＩＩＴ）の３箇所の角部、即ち、前側一側部、後側一側部及び後側他側部で支持される場合と比べ、中央支持部（５１ａ、１５３）と画像読取装置（ＩＩＴ）の重心（Ｇ０′，Ｇ１，Ｇ２）の位置との偏りが少ない。したがって、重心の位置が偏っている従来の場合と比べ、画像読取装置（ＩＩＴ）を変形させたり撓ませる力等が少なくなり、画像読取装置（ＩＩＴ）の変形や撓み、歪み等の発生を抑えることができる。この結果、画像読取装置（ＩＩＴ）の読取り画像の画質（直角度等）が低下することを抑えることができる。
【００３３】
また、画像読取装置（ＩＩＴ）を支持する画像記録装置（ＩＯＴ）が変形したり歪んだり撓んでいると、４箇所で支持する従来技術の場合、４箇所中１箇所が浮いてしまうことがあり、浮いた１箇所に力を作用させてネジ等により固定設置すると画像読取装置（ＩＩＴ）が変形等してしまう。これに対して、第４発明の画像読取装置（ＩＩＴ）の光学系調整用治具（１０１，１０１′，１０１″）を使用して光学系が調整された画像読取装置（ＩＩＴ）では、３箇所で支持されているので、４箇所で支持される場合と比較して、画像記録装置（ＩＯＴ）の歪み等の影響を受けにくい。この結果、画像読取装置（ＩＩＴ）が支持される画像記録装置（ＩＯＴ）の部材の変形や歪み等に依存せず、読取り画像の画質を保持することができる。
【００３４】
（第４発明の形態１）
第４発明の形態１の画像読取装置（ＩＩＴ）の光学系調整用治具（１０１，１０１′，１０１″）は、前記第４発明において、下記の構成要件（Ｄ07）を備えたことを特徴とする。
（Ｄ07）前記治具本体（１０２）に対して着脱可能に装着される前記中央他側部支持部材（１０９）。
（第４発明の形態１の作用）
前記構成要件（Ｄ07）を備えた第４発明の形態１の画像読取装置（ＩＩＴ）の光学系調整用治具（１０１，１０１′，１０１″）では、中央他側部支持部材（１０９）は前記治具本体（１０２）に対して着脱可能に装着される。したがって、画像読取装置（ＩＩＴ）を組み立てる場合には、中央他側部支持部材（１０９）を取り外し、画像読取装置（ＩＩＴ）の光学系の調整を行う場合は、中央他側部支持部材（１０９）を装着することができる。
【００３５】
（第４発明の形態２）
第４発明の形態２の画像読取装置（ＩＩＴ）の光学系調整用治具（１０１，１０１′，１０１″）は、第４発明または第４発明の形態１において、下記の構成要件（Ｄ08）を備えたことを特徴とする。
（Ｄ08）前記各支持部材に支持された画像読取装置（ＩＩＴ）が、前記光学系調整用治具（１０１，１０１′，１０１″）から離脱することを防止するための離脱防止部材（１０３ａ′，１０４ａ′，１２１〜１２４）。
（第４発明の形態２の作用）
前記構成要件（Ｄ08）を備えた第４発明の形態２の画像読取装置（ＩＩＴ）の光学系調整用治具（１０１，１０１′，１０１″）では、離脱防止部材（１０３ａ′，１０４ａ′，１２１〜１２４）は、各支持部材に支持された画像読取装置（ＩＩＴ）が、前記光学系調整用治具（１０１，１０１′，１０１″）から離脱することを防止する。したがって、画像読取装置（ＩＩＴ）の組立作業や光学系の調整作業中に画像読取装置（ＩＩＴ）が光学系調整用治具（１０１，１０１′，１０１″）から離脱することを防止できる。
【発明の効果】
【００３６】
前述の本発明は、下記の効果（Ｅ01），（Ｅ02）を奏する。
（Ｅ01）画像読取装置での読取り画像の画質の低下を抑えることができる。
（Ｅ02）画像読取装置が支持される部材の変形に依存せず、読取り画像の画質を保持することができる。
【発明を実施するための最良の形態】
【００３７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００３８】
図１は本発明の実施例１の画像形成装置の斜視説明図である。
図１において、画像形成装置としてのデジタル複合機Ｕは、ＦＡＸ、プリンタ、スキャナおよび複写機としての機能を備えている。画像形成装置Ｕは、ＩＯＴ（イメージアウトプットターミナル、プリンタ部、画像記録装置）、ＩＩＴ（イメージインプットターミナル、スキャナ部、画像読取装置）を有している。
前記ＩＩＴの上面には、カバーＵ１が、その後端部（−Ｘ端部）に設けた左右方向に延びるヒンジ軸（図示せず）によりプラテンガラス（図示せず）上面に対して回動可能に支持されており、原稿を作業者が手でプラテンガラス上に置く場合に上方に回動される。
また、前記ＩＩＴの前部には、コピースタートや複写枚数等をユーザが入力するためのユーザインタフェースＵＩが支持されている。
【００３９】
前記ＩＯＴ上面には上方のＩＩＴとの間にシート排出トレイＴＲｈが設けられている。前記シート排出トレイＴＲｈの左端部上方には、シート排出トレイＴＲｈにシートを排出する排出ローラＲ１が配置されている。
また、ＩＯＴの下部には、給紙される画像記録用のシートを収容する複数の給紙トレイＴＲ１、ＴＲ２が、前後方向に挿抜可能に支持されている。また、ＩＯＴの左側部には、手差しで給紙されるシートが支持される手差しトレイＴＲ０が支持されている。
【００４０】
（フレームの説明）
図２は実施例１の画像形成装置の全体のフレームの斜視説明図である。
図３は実施例１の画像形成装置のＩＩＴを外したＩＯＴのフレームの斜視説明図である。
図４は実施例１の画像形成装置のフレームの各部分の斜視説明図であり、図４Ａは左側ＩＩＴ支持部材の斜視説明図、図４Ｂは右側ＩＩＴ支持部材の斜視説明図、図４Ｃは前側フレームの斜視説明図、図４Ｄは後側フレームの斜視説明図である。
【００４１】
図２〜図４において、画像形成装置Ｕは、ＩＯＴのフレームであるＩＯＴフレーム１と、ＩＯＴフレーム１の上端部に支持されたＩＩＴフレーム２とを有している。図３、図４において、ＩＯＴフレーム１は、前側フレーム６と、後側フレーム７と、ＩＩＴで読み取った画像に基づいてシートに画像記録を行う図示しない画像記録部材（静電潜像を書き込む潜像書込装置（ＲＯＳ）等）を支持し且つ、前記前側フレーム６の上下方向中央部と前記後側フレーム７の上下方向中央部とを連結するベースフレーム８とを有している。
【００４２】
図２，図３において、前記ベースフレーム８の下方のＩＯＴフレーム１の下端部には、前記前側フレーム６と後側フレーム７とを連結し且つ給紙トレイＴＲ１，ＴＲ２をスライド可能に支持する給紙トレイ支持部材９が支持されている。また、ＩＯＴフレーム１は、前側フレーム６と後側フレーム７とを連結する複数の連結フレーム１１を有している。さらに、前記ＩＯＴフレーム１は、ＩＩＴフレーム２の左側部（−Ｙ側部、一側部）を支持する左側ＩＩＴ支持部材１２と、ＩＩＴフレーム２の右側部（＋Ｙ側部、他側部）を支持する右側ＩＩＴ支持部材１３とを有している。また、前記ＩＯＴフレーム１の下端部には、前後方向に延びるフット支持プレート１４が固定支持されている。
【００４３】
（前側フレームの説明）
図５は前側フレームの構成部品の斜視説明図であり、図５Ａは前側プレートの斜視説明図、図５Ｂは前側左側部下部支持部材の斜視説明図、図５Ｃは前側右側部支持部材の斜視説明図、図５Ｄは前側下端部連結プレートの斜視説明図である。
図２〜図４において、前側フレーム６は、ＩＯＴの前側に配置される前側プレート２１と、前側プレート２１の左側部（−Ｙ側部）に支持された前側左側部下部支持部材２２と、前側プレート２１の右側部（＋Ｙ側部）に支持された前側右側部支持部材２３と、前側左側部下部支持部材２２の下端部と前側右側部支持部材２３の下端部とを連結する前側下端部連結プレート２４と、を有している。なお、前側左側部下部支持部材２２および前側右側部支持部材２３の上端部は、シート排出トレイＴＲｈの高さまで延びている。
図４Ｃ、図５Ａにおいて、前記前側プレート２１には、感光体や現像器等をユニット化したトナー像形成ユニットを着脱するためのユニット着脱孔２１ａやその他複数の部材装着孔やネジ孔が形成されている。
【００４４】
図２〜図４、図５Ｂにおいて、前記前側左側部下部支持部材２２には、複数のネジ孔等が形成されており、前側左側部下部支持部材２２の上端部（＋Ｚ端部）には、前記左側ＩＩＴ支持部材１２の前端部を支持するための左側ＩＩＴ支持部材装着用ネジ孔２２ａが形成されている。また、図２〜図４において、前側左側部下部支持部材２２には、左方（−Ｙ方向）に突出する前側手差しトレイ支持部材２６が支持されている。
なお、前記前側フレーム６を構成する各部材２１〜２６は薄肉プレート状部材を折り曲げて形成された薄肉折り曲げ部材により形成されている。
【００４５】
（後側フレームの説明）
図６は図４Ｄの矢印ＶＩ方向から見た斜視説明図である。
図７は後側フレームの構成部品の斜視説明図であり、図７Ａは後側プレートを前側から見た斜視説明図、図７Ｂは後側プレートを後側から見た斜視説明図、図７Ｃは後側右側部支持部材の斜視説明図、図７Ｄは後側左側部支持部材の斜視説明図、図７Ｅは後側上端部連結プレートの斜視説明図である。
図２〜図４、図６，図７において、後側フレーム７は、ＩＯＴの後側に配置される後側プレート３１と、後側プレート３１の右側部（＋Ｙ側部）に支持された後側右側部支持部材３２と、後側プレート３１の左側上端部に支持された後側左側部支持部材３３と、後側右側部支持部材３２の上端部と後側左側部支持部材３３の上端部とを連結する後側上端部連結プレート３４と、を有している。
【００４６】
図２〜図４、図６において、複数の孔が形成された後側プレート３１の後面（−Ｘ面）には、ＩＯＴ内部に配置される画像記録部材やシート搬送ロール、ＩＩＴ内部の露光光学系等の各部材の作動、駆動を制御する複写機用制御基板３６（図６参照）が支持されている。前記制御基板３６の右端部には、プリンタデータを送信する電子計算機等と接続するためのプリンタコネクタや、ＦＡＸデータの送受信を行うために公衆通信回線に接続するためのＦＡＸコネクタ等を有するコネクタ部３６ａが設けられている。また、後側プレート３１の左側部（−Ｙ側部）には、左方（−Ｙ方向）に突出する後側手差しトレイ支持部材３７が支持されている。
【００４７】
図２〜図４、図６，図７Ｃにおいて、後側右側部支持部材３２は、後側フレーム７の下端部から上方に延びる一体形成された部材により構成されており、後側フレーム７の右側面にネジ止めされている。そして、後側右側部支持部材３２の上端部には、右側ＩＩＴ支持部材１３が支持される。前記後側右側部支持部材３２の上下方向中央部には、前記コネクタ部３６ａに対応するコネクタ装着孔３２ａが形成されている。
図２〜図４、図６，図７Ｄにおいて、後側左側部支持部材３３は、前記後側プレート３１の左上端部に支持されており、上端部に前記左側ＩＩＴ支持部材１２の後端部を支持する。
なお、前記後側フレーム７を構成する各部材３１〜３７は薄肉プレート状部材を折り曲げて形成された薄肉折り曲げ部材により形成されている。
【００４８】
（ＩＩＴ支持部材の説明）
図２、図３、図４Ａにおいて、左側ＩＩＴ支持部材（２点支持部材）１２は、前後方向（Ｘ軸方向）に延びる左側ＩＩＴ支持部材本体４１と、前記左側ＩＩＴ支持部材本体４１の前側（＋Ｘ側）に一体的に形成され下方に延びる前側左側部上部支持部４２とを有している。図３、図４Ａにおいて、前記左側ＩＩＴ支持部材本体４１の前後両端部には、上方に折り曲げて形成された上方折り曲げ部４１ａが支持されている。前記上方折り曲げ部４１ａには、ＩＩＴ固定用ネジ孔４１ｂが形成されている。また、左側ＩＩＴ支持部材本体４１の上面には、上方に突出する前部左側ＩＩＴ支持部（前側支持部）４１ｃと、前部左側ＩＩＴ支持部４１ｃから後方向に離れた位置に配置された上方に突出する後部左側ＩＩＴ支持部（後側支持部）４１ｄが形成されている。前記左側ＩＩＴ支持部４１ｃ、４１ｄは、前記ＩＩＴフレーム２の左側下面に当接しており、ＩＩＴフレーム２の左側部は２箇所で支持される。
【００４９】
図２〜図４において、前記前側左側部上部支持部材４２の下端部には連結ネジ孔４２ａが形成されており、前記前側左側部下部支持部材２２のＩＩＴ支持部材装着用ネジ孔２２ａ及び連結ネジ孔４２ａを貫通するネジにより、前側左側部上部支持部材４２と前側左側部下部支持部材２２とが連結される。
前記前側左側部下部支持部材２２および前側左側部上部支持部材４２等により、前側左側部支持部材（２２＋４２）が構成されている。
【００５０】
図８は右側ＩＩＴ支持部材の説明図であり、図８Ａは斜視説明図、図８Ｂは図８Ａの矢印ＶIIIＢ方向から見た図、図８Ｃは図８Ｂの矢印ＶIIIＣ方向から見た図、図８Ｄは図８Ｂの矢印ＶIIIＤ方向から見た図である。
図２、図３、図４Ａ、図８において、右側ＩＩＴ支持部材（中央支持部材）１３は、前後方向（Ｘ軸方向）および上下方向（Ｚ軸方向）に延びるプレート状の右側ＩＩＴ支持部材本体５１と、右側ＩＩＴ支持部材本体５１の下端部から左方向に延びる被支持部５２とを有する。前記右側ＩＩＴ支持部材本体５１の前後方向中央部には、右側ＩＩＴ支持部（中央支持部）５１ａが左方（−Ｙ方向）に折り曲げて形成されている。また、前記右側ＩＩＴ支持部材本体５１には、前記ＩＩＴフレーム２を右方からネジ止めするためのＩＩＴ固定用ネジ孔５１ｂを含む複数の孔が形成されている。前記右側ＩＩＴ支持部５１ａは、前記ＩＩＴフレーム２の右側下面に当接しており、ＩＩＴフレーム２の右側部は１箇所で支持される。
【００５１】
図８において、被支持部５２の後端部には、折り曲げ部５２ａが上方に折り曲げて形成されており、折り曲げ部５２ａには、ＩＩＴフレーム２を後方からネジ止めするためのＩＩＴ固定用ネジ孔５２ｂが形成されている。また、前記被支持部５２の下面には、前記後側右側部支持部材３２の上端部にネジ止めされるためのネジ孔５２ｃが形成されている。
したがって、実施例１の画像形成装置Ｕでは、ＩＩＴフレーム２は、左側ＩＩＴ支持部４１ｃ、４１ｄおよび右側ＩＩＴ支持部５１ａにより３箇所で下方から支持される。そして、ＩＩＴフレーム２は、ＩＩＴ固定用ネジ孔４１ｂ、５１ｂ、５２ｂによって、前後方向または左右方向からネジ止めされており、上下方向からネジ止めされない。
【００５２】
（フットの説明）
図９は実施例１の画像形成装置を下方から見た図である。
図９において、前側下端部連結プレート２４の右端部下面（＋Ｙ端部−Ｚ面）には前側フット６１が固定支持されており、後側右側部支持部材３２の下面には後側フット６２が固定支持されている。そして、フット支持プレート１４の前後方向（Ｘ軸方向）中央部の下面には、中央フット６３が固定支持されており、前記３つのフット６１〜６３によって、画像形成装置Ｕが床や机上に設置される。なお、実施例１の画像形成装置では、前記前側フット６１と後側フット６２とを結ぶ２点支持側フット接続仮想線６４と、画像形成装置Ｕの重心Ｇ０と前記中央フット６３とを結ぶ重心１点支持側フット接続仮想線６６の延長線とが、互いに直交する位置に、前記各フット６１〜６３が配置されている。
【００５３】
図１０は、画像形成装置の各支持部材の位置関係を示す説明図であり、図１０Ａは画像形成装置下面のフットとＩＩＴ支持部との関係を示す説明図、図１０ＢはＩＩＴ支持部の位置関係を示す説明図である。
図１０において、実施例１の画像形成装置Ｕでは、画像形成装置Ｕは、右側部で前側フット６１及び後側フット６２により２点で支持され、左側部では中央フット６３により１点で支持されている。一方、ＩＩＴは、左側部で左側ＩＩＴ支持部４１ｃ、４１ｄにより２点でＩＯＴに支持され、右側部で右側ＩＩＴ支持部５１ａにより１点で支持されている。
なお、図１０Ｂに示すように、実施例１の画像形成装置Ｕでは、左側ＩＩＴ支持部４１ｃ、４１ｄどうしを結ぶ２点支持側支持部仮想線６８と、ＩＩＴの重心Ｇ０′と右側ＩＩＴ支持部５１ａとを結ぶ重心１点支持側支持部仮想線６９の延長線とが、互いに直交する位置に、前記各ＩＩＴ支持部４１ｃ，４１ｄ，５１ａが配置されている。
【００５４】
（ＩＩＴの説明）
図１１はＩＩＴを下方から見た状態の斜視図である。
図１１において、ＩＩＴの左側下面（−Ｙ側−Ｚ面）の前端部（＋Ｘ端部）には、ＩＩＴがＩＯＴに支持された状態で、前部左側ＩＩＴ支持部４１ｃに支持される前側左側部被支持部（前側被支持部、前側一側部被支持部）８１が下方に突出して形成されている。また、ＩＩＴの左側下面の後端部には、ＩＩＴがＩＯＴに支持された状態で、後部左側ＩＩＴ支持部４１ｄに支持される後側左側部被支持部（後側被支持部、後側一側部被支持部）８２が下方に突出して形成されている。前記前側左側部被支持部８１及び後側左側部被支持部８２には、それぞれ離脱防止ピン貫通孔８１ａ、８２ａが形成されている。
【００５５】
前記ＩＩＴの右側下面の前後両端部には、下方に突出する組立時被支持部８３、８４が設けられている。また、前記ＩＩＴの右側下面の前後方向中央部には、中央右側部被支持面（中央被支持部、中央他側部被支持部）８６が形成されており、ＩＩＴがＩＯＴに支持された状態で、右側ＩＩＴ支持部５１ａの上面が当接して支持される。
図２、図１１において、ＩＩＴの右側面には、前記ＩＩＴ固定用ネジ孔５１ｂ、５１ｂと連通してネジ止めされる右側固定用ネジ孔８７、８７が形成されている。
【００５６】
（光学系組立調整用治具の説明）
図１２はＩＩＴが光学系組立調整用治具に支持された状態の側面図である。
図１３はＩＩＴの光学系を調整する作業を実行する際の光学系組立調整用治具の説明図であり、図１３Ａは平面図、図１３Ｂは図１３Ａの矢印ＸIIIＢ方向から見た図である。
図１４は光学系組立調整用治具の中央支持部材の説明図であり、図１４Ａは中央支持部材が光学系組立調整用治具から取り外された状態の説明図、図１４Ｂは中央支持部材の斜視説明図である。
【００５７】
図１２〜図１４において、光学系組立調整用治具（光学系調整用治具）１０１は、プレート状の治具本体１０２を有している。前記プレート状の治具本体１０２上の前側左部には、前記前側左側部被支持部８１に当接して、前側左側部被支持部８１を支持する前側左側部スタッド（前側一側部支持部材）１０３が上方に突出して固定支持されている。同様に、治具本体１０２上の後側左部には、後側左側部被支持部８２に当接して、後側左側部被支持部８２を支持する後側左側部スタッド（後側一側部支持部材）１０４が上方に突出して固定支持されている。また、治具本体１０２上の前側右部及び後側右部には、それぞれ組立時被支持部８３、８４に当接して、組立時被支持部８３、８４を支持する前側右側部スタッド（前側他側部支持部材）１０６及び後側右側部スタッド（後側他側部支持部材）１０７が固定支持されている。前記各スタッド１０３〜１０７は、全て同じ長さで揃えられている。
【００５８】
図１４Ａにおいて、前記治具本体１０２の右側部の前後方向中央部には、小径のシャフト装着ピン１０８が上方に突出して固定支持されている。そして、前記シャフト装着ピン１０８には、中央右側部支持シャフト（中央他側部支持部材）１０９が装着される。図１４Ｂにおいて、前記中央右側部支持シャフト１０９の下端部には、前記シャフト装着ピン１０８とほぼ同径のピン嵌合孔１０９ａが形成されており、光学系の調整や検査を行う際に、シャフト装着ピン１０８に中央右側部支持シャフト１０９が装着される。前記中央右側部支持シャフト１０９の先端部には、シャフト先端支持部１０９ｂが設けられており、中央右側部支持シャフト１０９のシャフト先端支持部１０９ｂは、中央右側部被支持面８６に当接して支持する。なお、光学系の調整の精度を高めるために、前記シャフト先端支持部１０９ｂの幅（直径）は、右側ＩＩＴ支持部５１ａが中央右側部被支持面８６に当接する幅と同じ幅になるように設定されている。また、前記前側左側部スタッド１０３、後側左側部スタッド１０４及び中央右側部支持シャフト１０９の位置関係は、左側ＩＩＴ支持部４１ｃ、４１ｄおよび右側ＩＩＴ支持部５１ａの位置関係と、前後左右上下方向が同じ位置関係となるように設定されている。
【００５９】
図１３Ｂにおいて、前記中央右部支持シャフト１０９は、前記各スタッド１０３〜１０７よりも長く形成されている。実施例１では、前記スタッド１０３〜１０７の長さは１００ｍｍに設定され、中央右部支持シャフト１０９の長さは１０２ｍｍに設定されている。なお、この長さの値は適宜変更可能である。また、シャフト１０９をスタッド１０３、１０４と同じ高さに設定し、スタッド１０６、１０７の長さを短くすることも可能である。
したがって、図１２に示すように、中央右側部支持シャフト１０９がＩＩＴの中央右側部被支持面８６に当接した状態では、組立時被支持部８３、８４と、前側右側部スタッド１０６及び後側右側部スタッド１０６とは当接しない状態で保持される。したがって、ＩＩＴがＩＯＴに装着された状態と同様に、ＩＩＴの左側部では２点で支持され、ＩＩＴの右側部では１点で支持される。
【００６０】
（ＩＩＴの光学系の調整方法の説明）
（ＩＩＴ組み立て工程）
ＩＩＴを組み立てる場合、光学系組立調整用治具１０１から中央右側部支持シャフト１０９を取り外す。そして、この状態で、前記ＩＩＴフレーム２を光学系組立調整用治具１０１の所定の位置に支持する。即ち、各被支持部８１〜８４が各スタッド１０３〜１０７に支持されるようにＩＩＴフレーム２を光学系組立調整用治具１０１上に支持する。そして、この状態で、ＩＩＴフレーム２に原稿画像読取り用の露光光学系やモータ等の部品を取り付け、画像読取装置ＩＩＴを組み立てる。このとき、４つのスタッド１０３〜１０７により４箇所で支持されているので、安定した状態で組み立てることができる。
【００６１】
（光学系調整工程）
組み立てられた画像読取装置ＩＩＴの内部には、露光光学系が配置されており、ＩＩＴのプラテンガラス上の原稿からの反射光は、前記露光光学系を介して撮像素子（ＣＣＤ）により撮像される。ＩＩＴが組み立てられた状態では、ＩＩＴフレーム２に製造誤差や変形、撓み等があるので、光学系の調節をＩＩＴ毎に行って読取り画像の画質（直角度等）を調整する必要がある。
光学系の調整をする場合、光学系組立調整用治具１０１に中央右側部支持シャフト１０９を装着する。この状態で、ＩＩＴを光学系組立調整用治具１０１に支持する。即ち、前側左側部被支持部８１が前側左側部スタッド１０３に当接し、後側左側部被支持部８２が後側左側部スタッド１０４に当接し、中央右側部支持シャフト１０９がＩＩＴの中央右側部被支持面８６に当接した状態で支持される。したがって、３箇所で支持された状態で、ＩＩＴに光学系調整用の電子計算機を接続して、光学系の調整が行われる。
【００６２】
（実施例１の作用）
前記構成を備えた実施例１の画像形成装置としての複写機Ｕでは、前記画像読取装置ＩＩＴの右側部（左右方向他側部）は、右側ＩＩＴ支持部５１ａにより前後方向中央部で支持されるので、画像読取装置の３箇所の角部、即ち、前側一側部、後側一側部及び後側他側部で支持される従来技術の場合と比べ、右側ＩＩＴ支持部５１ａと画像読取装置ＩＩＴの重心Ｇ０′の位置との偏りが少ない。したがって、重心Ｇ０′の位置が偏っている従来の場合と比べ、画像読取装置ＩＩＴを変形させたり撓ませる力等が少なくなり、画像読取装置ＩＩＴの変形や撓み、歪み等の発生を抑えることができる。この結果、画像読取装置ＩＩＴの読取り画像の画質（直角度等）が低下することを抑えることができる。
【００６３】
また、ＩＩＴを支持するＩＯＴが変形したり歪んだり撓んでいると、４箇所で支持する従来技術の場合、４箇所中１箇所が浮いてしまうことがあり、浮いた１箇所に力を作用させてネジ等により固定設置するとＩＯＴの変形等に追従してＩＩＴが変形等してしまう。これに対して、実施例１の画像形成装置Ｕでは、３箇所で支持されているので、４箇所で支持される場合と比較して、支持されたＩＩＴがＩＯＴの歪み等の影響を受けにくい。この結果、ＩＩＴが支持されるＩＯＴの部材の変形や歪み等に依存せず、読取り画像の画質を保持することができる。
【００６４】
また、実施例１の画像形成装置では、図１０Ｂに示すように平面図で右側ＩＩＴ支持部５１ａとＩＩＴの重心とを結ぶ重心１点支持側支持部仮想線６９と、前部左側ＩＩＴ支持部４１ｃと後部左側ＩＩＴ支持部４１ｄとを結ぶ２点支持側支持部仮想線６８とが直交するように、前部左側ＩＩＴ支持部４１ｃ、後部左側ＩＩＴ支持部４１ｄ及び右側ＩＩＴ支持部５１ａが配置されている。したがって、右側ＩＩＴ支持部５１ａの位置が、ＩＩＴの重心を通過し、前部左側ＩＩＴ支持部４１ｃと後部左側ＩＩＴ支持部４１ｄとを結ぶ２点支持側支持部仮想線６８に直交する重心１点支持側支持部仮想線６９の延長線上に配置されているので、ＩＩＴが安定した状態でＩＯＴに支持される。
【００６５】
さらに、重心Ｇ０′の位置が右側ＩＩＴ支持部５１ａと前後方向で同じ位置に配置されているので、画像読取装置ＩＩＴの変形や撓み、歪み等の発生を非常に小さくできる。また、実施例１の画像形成装置Ｕでは、前記前側フット６１と後側フット６２と中央フット６３との位置関係と、前部左側ＩＩＴ支持部４１ｃ、後部左側ＩＩＴ支持部４１ｄ及び右側ＩＩＴ支持部５１ａの位置関係が平面図で左右逆になっている。したがって、位置関係が左右同じ場合と比較して、画像形成装置Ｕの姿勢が安定し、振動等を低減できる。
【００６６】
さらに、実施例１の画像形成装置Ｕでは、ＩＩＴはＩＯＴの上部に支持され且つ、ＩＩＴ固定用ネジ孔４１ｂ、５１ｂ、５２ｂによって、ＩＩＴの側面方向（前後方向または左右方向）からＩＯＴに固定支持（ネジ止め）される。ＩＯＴが変形したり歪んでいる場合に、ＩＩＴを上方から固定支持すると、ＩＩＴがＩＯＴの歪み等に追従して変形する可能性がある。しかしながら、実施例１の画像形成装置Ｕでは、ＩＩＴは、ＩＩＴの側面方向からＩＯＴに固定支持されるので、ＩＩＴ全体がＩＯＴの傾斜等に応じて傾斜することはあっても、追従して変形したり、撓んだりする可能性は少なくなる。したがって、実施例１の画像形成装置Ｕでは、側面方向から固定支持されるＩＩＴは、ＩＯＴの歪み等の影響を受けにくい。この結果、ＩＩＴが支持されるＩＯＴの変形や歪み等に依存せず、読取り画像の画質を保持することができる。また、ＩＯＴの歪み等の影響を受けにくいので、ＩＯＴに要求される部品精度等をそれほど高めなくてもＩＩＴの読取画像の画質を保持できる。したがって、ＩＯＴの製造コストを低減でき、画像形成装置Ｕ全体のコストを低減できる。
【００６７】
また、実施例１の画像形成装置ＵのＩＩＴの光学系調整方法で使用される光学系組立調整用治具１０１では、中央右側部支持シャフト１０９は治具本体１０２に対して着脱可能に装着される。したがって、ＩＩＴを組み立てる場合には、中央右側部支持シャフト１０９を取り外し、ＩＩＴの光学系の調整を行う場合は、中央右側部支持シャフト１０９を装着することができる。この結果、中央右側部支持シャフト１０９を着脱するだけで、光学系組立調整用治具１０１でＩＩＴの組立と光学系の調整・検査を行うことができる。即ち、光学系組立調整用治具１０１の部品を共通化でき、光学系組立調整用治具１０１のコストを低減できる。
【００６８】
そして、中央右側部支持シャフト１０９を装着した状態では、ＩＯＴの前部左側ＩＩＴ支持部４１ｃ、後部左側ＩＩＴ支持部４１ｄおよび右側ＩＩＴ支持部５１ａに支持される前側左側部被支持部８１、後側左側部被支持部８２及び中央右側部被支持面８６が、前側左側部スタッド１０３、後側左側部スタッド１０４及び中央右側部支持シャフト１０９に支持された状態で光学系が調整される。即ち、ＩＯＴに装着された状態と同様の状態でＩＩＴが光学系組立調整用治具１０１上に支持して光学系を調整することができる。
【００６９】
また、実施例１の複写機Ｕは、前側左側部支持部材（２２＋４２）、後側左側部支持部材３３および後側右側部支持部材３２の３箇所でＩＩＴを支持しており、前側左側部に支持部材が設けられていない。したがって、４箇所でＩＩＴを支持する従来技術のようにシートを取り出す際に邪魔となる前側左側部の支持部材が設けられていないので、シート排出トレイＴＲｈに排出されたシートをユーザが取り出しやすい。
【００７０】
また、後側右側部支持部材３２が一体形成されており、ベースプレート８の下方の給紙トレイ支持部材９の下端部から上方に延び且つ、上方に配置されたＩＩＴを支持している。したがって、実施例１の画像形成装置Ｕでは、ベースフレーム８の下方から上方まで一体形成された後側右側部支持部材３２が配置されているので、ベースフレーム８より上方にのみ枠体が配置され、ベースフレーム８の下方の部材と上方の枠体が別部材で構成された従来技術と比較して、強度が高くなる。したがって、ベースフレーム８の上側の部分が下側部分に対して撓んだり、変形したりすることを防止でき、１点支持側である右側ＩＩＴ支持部材１３を支持する強度が高まる。この結果、ＩＩＴの変形等を防止できるとともに、複写機Ｕの振動等も低減できる。
【００７１】
また、実施例１の画像形成装置Ｕでは、ＩＯＴフレーム１の各構成部品が薄肉折り曲げ部材により構成されているので、角パイプで構成する場合と比較して、コストを低減することができる。また、角パイプを使用することにより発生するデッドスペースを減らすことができ、スペースを有効活用できる。
【実施例２】
【００７２】
図１５は実施例２の画像読取装置の光学系調整方法で使用される光学系組立調整用治具の説明図であり、図１５Ａは平面図、図１５Ｂは図１５Ａの矢印ＸＶＢ方向から見た図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００７３】
図１５において、実施例２の画像読取装置の光学系調整方法で使用される光学系組立調整用治具（光学系調整用治具）１０１′では、前側左側部スタッド１０３′の先端及び後側左側部スタッド１０４′の先端に離脱防止ピン（離脱防止部材）１０３ａ′、１０４ａ′が設けられている。したがって、ＩＩＴ組み立て工程や、光学系調整行程では、ＩＩＴの離脱防止ピン貫通孔８１ａ、８２ａに離脱防止ピン１０３ａ′、１０４ａ′が装着された状態で、ＩＩＴの組立や、光学系の調整、検査が行われる。
【００７４】
（実施例２の作用）
前記構成を備えた実施例２の画像読取装置の光学系調整方法で使用される光学系組立調整用治具１０１′では、離脱防止ピン貫通孔８１ａ、８２ａに離脱防止ピン１０３ａ′、１０４ａ′が装着されるので、組立作業中や光学系調整作業中に、ＩＩＴが光学系組立調整用治具１０１′から離脱（落下等）することを防止できる。
【実施例３】
【００７５】
図１６は実施例３の画像読取装置の光学系調整方法で使用される光学系組立調整用治具の説明図であり、図１６Ａは平面図、図１６Ｂは図１６Ａの矢印ＸＶＩＢ方向から見た図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００７６】
図１６において、実施例２の画像読取装置の光学系調整方法で使用される光学系組立調整用治具（光学系調整用治具）１０１″では、ＩＩＴが支持された状態で、ＩＩＴの前後左右の外周部を支持する離脱防止プレート（離脱防止部材）１２１〜１２４が治具本体１０２に支持されている。
【００７７】
（実施例３の作用）
前記構成を備えた実施例２の画像読取装置の光学系調整方法で使用される光学系組立調整用治具１０１″では、離脱防止プレート１２１〜１２４によりＩＩＴの外周部が支持されるので、組立作業中や光学系調整作業中に、ＩＩＴが光学系組立調整用治具１０１″から離脱することを防止できる。
【実施例４】
【００７８】
図１７は実施例１の図８に対応する実施例４の画像形成装置の右側ＩＩＴ支持部材の説明図であり、図１７Ａ右側ＩＩＴ支持部材の側面図、図１７Ｂは右側ＩＩＴ支持部の拡大説明図である。
なお、この実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
【００７９】
図１７において、実施例4の右側ＩＩＴ支持部材（中央支持部材）１３′では、右側ＩＩＴ支持部材本体５１′の左側面に、可動支持部材１５１が支持されている。前記可動支持部材１５１は右側ＩＩＴ支持部材本体５１′表面に当接する可動支持部材本体１５２と、前記可動支持部材本体１５２の下端から左方（−Ｙ方向）に折り曲げて形成された右側ＩＩＴ支持部（中央支持部）１５３とを有する。前記可動支持部材本体１５１には、前後方向に延びる長孔１５２ａが形成されており、長孔１５２ａの前後方向中央部にはＡＤＦ装着時目印１５２ｂが形成されている。可動支持部材１５１は、前記長孔１５２ａ及び右側ＩＩＴ支持部材１３′のネジ孔（図示せず）を貫通するネジ１５６により支持されている。したがって、ネジ１５６を緩めると可動支持部材１５１を前後方向にスライド移動させることができる。
【００８０】
（実施例４の作用）
図１８は実施例４の画像形成装置の可動支持部材の作用説明図であり、図１８Ａは画像読取装置の本体のみが画像記録装置に装着された状態の説明図、図１８Ｂは画像読取装置とユーザインタフェースが装着された状態の説明図、図１８Ｃは画像読取装置とユーザインタフェースと自動原稿搬送装置が装着された状態の説明図である。
前記構成を備えた実施例４の画像形成装置では、可動支持部材１５１をスライド移動させることにより右側ＩＩＴ支持部１５３の位置を移動させることができる。
【００８１】
図１８において、ＩＩＴのみの状態での重心Ｇ０′の位置と、ＩＩＴの前端部にユーザインタフェースＵＩが装着された状態での重心Ｇ１の位置と、ＩＩＴの前端部にユーザインタフェースＵＩが装着され且つ上面に自動原稿搬送装置（オートドキュメントフィーダ）ＡＤＦが装着された状態での重心Ｇ２の位置は異なる。したがって、画像形成装置の構成に応じて、ＩＩＴの重心Ｇ０′、Ｇ１、Ｇ２の位置が移動しても、これに応じて、右側ＩＩＴ支持部１５３の位置を移動させることができる。この結果、重心Ｇ０′、Ｇ１、Ｇ２が移動しても、右側ＩＩＴ支持部１５３の位置を移動させて、画像読取装置を安定した状態で支持することができる。
なお、実施例４の可動支持部材１５１は、前記長孔１５２ａの前端にネジ１５６が係合した状態では、重心Ｇ０′と右側ＩＩＴ支持部１５３とを結ぶ重心１点支持側支持部仮想線６９の延長線が２点支持側支持部仮想線６８と直交するように設定されている。また、長孔１５２ａの後端にネジ１５６が係合した状態、ＡＤＦ装着時目印１５２ｂにネジ１５６を合わせた状態では、それぞれ、重心Ｇ１，Ｇ２に対応するように設定されている。したがって、ＡＤＦ装着時目印１５２ｂが設けられ、長孔１５２ａの前端、後端の位置がＩＩＴの構成変更後の重心の位置に対応しているので、ユーザインタフェースＵＩや自動原稿搬送装置ＡＤＦが装着された場合、構成に合わせて可動支持部材１５１を所定の位置に容易にスライドさせることができる。この結果、重心Ｇ０′、Ｇ１、Ｇ２の位置に対応する位置に右側ＩＩＴ支持部１５３を容易に移動させることができる。
【実施例５】
【００８２】
図１９は実施例１の図１０Ｂに対応する実施例５の画像形成装置のＩＩＴ支持部の位置関係を示す説明図である。
なお、この実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
【００８３】
図１９において、実施例５の画像形成装置では、ＩＩＴの右側部（他側部）は、実施例１のように右側ＩＩＴ支持部１５３の１箇所ではなく、前後方向中央部の前側右側部ＩＩＴ支持部１６１と、前側右側部ＩＩＴ支持部１６１の後方に近接する後側右側部ＩＩＴ支持部１６２の前後方向中央部の２箇所で支持されている。なお、実施例５の画像形成装置では、前側右側部ＩＩＴ支持部１６１と後側右側部ＩＩＴ支持部１６２との間隔１６３（図１９参照）は、前部左側ＩＩＴ支持部４１ｃと後部左側ＩＩＴ支持部４１ｄとの間隔１６４の１／５に設定されており、１／５以下に設定することが望ましい。
即ち、実施例５の画像形成装置は、疑似３点支持によりＩＩＴが支持されている。
【００８４】
（実施例５の作用）
前記構成を備えた実施例５の画像形成装置では、ＩＩＴは、左側部（一側部）は前端部の前部左側ＩＩＴ支持部４１ｃと、後端部の後部左側ＩＩＴ支持部４１ｄの２箇所で支持され、右側部（他側部）は、中央部で、近接する前側右側部ＩＩＴ支持部１６１及び後側右側部ＩＩＴ支持部１６２の２箇所（疑似１箇所）で支持されている。即ち、実施例５の画像形成装置では、疑似３点支持によりＩＩＴがＩＯＴに支持されている。したがって、３点支持の場合に比べ、ＩＯＴに支持される際や、床や机上に支持される際にがたつきを抑えることができる。
【実施例６】
【００８５】
図２０は実施例６の画像読取装置の下方のから見た説明図であり、実施例１の図１１に対応する図である。
なお、この実施例６の説明において、前記実施例１の構成要素に対応する構成要素には同一の符号を付して、その詳細な説明を省略する。
この実施例６は、下記の点で前記実施例１と相違しているが、他の点では前記実施例１と同様に構成されている。
【００８６】
図２０において、実施例６の画像読取装置ＩＩＴでは、前側左側部被支持部８１及び後側左側部被支持部８２の離脱防止ピン貫通孔８１ａ、８２ａには、ネジ溝が形成されている。そして、前記離脱防止ピン貫通孔８１ａ、８２ａには、半球状のＩＩＴフット１８１、１８２が螺合される。また、ＩＩＴの右側部の前後方向中央部には、前側のＵＩ装着時被支持部（中央被支持部、中央他側部被支持部）１８３と、ＵＩ装着時被支持部１８３の後方（−Ｘ方向）に配置されたＡＤＦ装着時被支持部（中央被支持部、中央他側部被支持部）１８４と、ＡＤＦ装着時被支持部１８４の後方に配置されたオプション非装着時被支持部（中央被支持部、中央他側部被支持部）１８６とが設けられている。前記各被支持部１８３〜１８６には、それぞれ、ネジ孔１８３ａ〜１８６ａが形成されている。そして、ＩＩＴの構成に応じて、前記ネジ孔１８３ａ〜１８６ａのいずれかに半球状のＩＩＴフット１８７が装着される。
【００８７】
（実施例６の作用）
前記構成を備えた実施例６の画像読取装置ＩＩＴでは、半球状のＩＩＴフット１８１、１８２、１８７により、床や机上、あるいはＩＯＴの支持部４１ｃ、４１ｄ、５１ａに３点支持される。実施例６のＩＩＴでは、ＩＩＴフット１８１、１８２、１８７が半球状なので、支持される部材や面に多少の凹凸や傾斜があっても安定して支持される。また、ＩＩＴの右側部には、ＵＩ装着時被支持部１８３と、ＡＤＦ装着時被支持部１８４と、オプション非装着時被支持部１８６が設けられており、ＩＩＴの構成に応じて、ＩＩＴフット１８７が装着される位置を変更することができる。したがって、ユーザインタフェースＵＩや自動原稿搬送装置ＡＤＦを装着してＩＩＴの構成が変更された場合、ＩＩＴ全体の重心の位置が変動するが、各ＩＩＴの構成に応じた位置に被支持部１８３〜１８６が設けられているので、ＩＩＴフット１８７をＩＩＴの構成に応じた位置に螺合させることにより、中央右側部被支持部（中央他側部被支持部）の位置を移動させることができる。即ち、実施例６のＩＩＴでは、中央右側部被支持部が前後方向に移動可能に構成されている。
【産業上の利用可能性】
【００８８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ012）を下記に例示する。
（Ｈ01）前記各実施例において、電子写真方式の画像形成装置に限定されず、インクジェット記録方式の画像形成装置にも適用可能である。
（Ｈ02）前記各実施例において、前側左側部支持部材（２２＋４２），２２′、後側左側部支持部材３３および後側右側部支持部材３２が、前側プレート６，６′や後側プレート７，７′とは別体に構成されているが、前側プレート６，６′や後側プレート７，７′と一体に形成することも可能である。
【００８９】
（Ｈ03）前記各実施例において、コネクタ装着孔３２ａ、３２ａ′を後側右側部支持部材３２、３２′に形成したが、後側プレート３１にコネクタ装着孔を形成することも可能である。
（Ｈ04）前記各実施例において、画像形成装置Ｕ、Ｕ′の下方に、複数の給紙トレイを追加するためのオプションの給紙ユニットを装着することも可能である。
【００９０】
（Ｈ05）前記実施例６において、ＩＩＴフットの形状は半球状に限定されず、通常の円柱状のフットや半円状のフット等任意の形状のフットを使用することができる。
（Ｈ06）前記実施例４において、可動支持部材１５１をスライド移動可能に構成したが、長孔１５２ａを使用せず、通常の丸孔を使用し、ＩＩＴの構成に応じて、右側ＩＩＴ支持部材本体５１′に形成された複数のネジ孔のいずれか一つのネジ孔と丸孔を貫通するネジによりＩＩＴの構成に応じた所定の位置に装着、離脱可能に構成された可動支持部材を使用することも可能である。
【００９１】
（Ｈ07）前記実施例６において、実施例４の可動支持部材１５１と同様に、ネジと長孔によりスライド移動可能なフットを使用することも可能である。
（Ｈ08）前記各実施例において、上方に突出する前部左側ＩＩＴ支持部４１ｃ及び後部左側ＩＩＴ支持部４１ｄを使用したが、突出せず、平らな面でＩＩＴの左側部被支持部８１及び後側左側部被支持部８２を支持したり、ＩＩＴフット１８１、１８２を支持することも可能である。この場合、各被支持部８１、８２やＩＩＴフット１８１、１８２が当接する部分が前部左側ＩＩＴ支持部４１ｃ及び後部左側ＩＩＴ支持部４１ｄとなる。逆に、下方に突出する左側部被支持部８１及び後側左側部被支持部８２に替えて、突出しない平らな面で上方に突出する前部左側ＩＩＴ支持部４１ｃ及び後部左側ＩＩＴ支持部４１ｄに支持されるように構成することも可能である。この場合、前部左側ＩＩＴ支持部４１ｃ及び後部左側ＩＩＴ支持部４１ｄが当接した部分が左側部被支持部８１及び後側左側部被支持部８２となる。中央右側部被支持部８６及び右側ＩＩＴ支持部５１ａに関しても同様である。
【００９２】
（Ｈ09）前記各実施例において、右側ＩＩＴ支持部５１ａ、１５３と重心Ｇ０′、Ｇ１，Ｇ２とを結ぶ直線６９と、左側ＩＩＴ支持部４１ｃ、４１ｄを結ぶ直線６８とが直交する位置に右側ＩＩＴ支持部５１ａ、１５３を配置したが、設計等に応じて、前後方向に多少ずらすことも可能である。
（Ｈ010）前記各実施例において、光学系組立調整用治具１０１に対して、中央右側部支持シャフト１０９を装着できる場所は１箇所であったが、例えば、ＵＩが装着されたＩＩＴ用のシャフト装着ピンや、ＡＤＦが装着されたＩＩＴ用のシャフト装着ピン等を設け、光学系を調整する際に、ＩＩＴの重心位置に応じて、中央右側部支持シャフト１０９を装着する位置を変更可能に構成することも可能である。
【００９３】
（Ｈ011）前記実施例１において、中央右側部支持シャフト１０９は着脱可能に構成したが、治具本体１０２に固定支持することも可能である。この場合、ＩＩＴ組み立て時には、ＩＩＴフレームが中央右側部支持シャフト１０９に当接しないように左方（−Ｙ方向）にずらした位置で４点支持状態で組立を行い、光学系の調整、検査時には右側にずらして、３点支持状態とすることができる。なお、ＩＩＴ組み立て工程用の治具と、光学系調整・検査時用の治具を別個に用意して、組立工程と調整・検査工程で別の治具を使用することも可能である。
（Ｈ012）前記実施例において、中央右側部支持シャフト１０９のみ着脱可能に構成したが、前側右側部スタッド１０６及び後側右側部スタッド１０７を着脱可能に構成し、組み立て時にはスタッド１０６、１０７を装着し且つ中央右側部支持シャフト１０９を取り外して４点支持し、光学系調整、検査時にはスタッド１０６、１０７を取り外し且つ中央右側部支持シャフト１０９を装着して３点支持するように構成することも可能である。この場合、全てのスタッド１０３〜１０７及び中央右側部支持シャフト１０９の長さを同じ長さにすることもできる。あるいは、スタッド１０３〜１０７全てを着脱可能に構成することも可能である。この場合、治具本体１０２に、画像読取装置の機種毎のスタッド装着ピン（シャフト装着ピン）を設け、１つの光学系組立調整用治具で複数機種の画像読取装置の組立、光学系の調整等が可能とすることも可能である。
【図面の簡単な説明】
【００９４】
【図１】図１は本発明の実施例１の画像形成装置の斜視説明図である。
【図２】図２は実施例１の画像形成装置の全体のフレームの斜視説明図である。
【図３】図３は実施例１の画像形成装置のＩＩＴを外したＩＯＴのフレームの斜視説明図である。
【図４】図４は実施例１の画像形成装置のフレームの各部分の斜視説明図であり、図４Ａは左側ＩＩＴ支持部材の斜視説明図、図４Ｂは右側ＩＩＴ支持部材の斜視説明図、図４Ｃは前側フレームの斜視説明図、図４Ｄは後側フレームの斜視説明図である。
【図５】図５は前側フレームの構成部品の斜視説明図であり、図５Ａは前側プレートの斜視説明図、図５Ｂは前側左側部下部支持部材の斜視説明図、図５Ｃは前側右側部支持部材の斜視説明図、図５Ｄは前側下端部連結プレートの斜視説明図である。
【図６】図６は図４Ｄの矢印ＶＩ方向から見た斜視説明図である。
【図７】図７は後側フレームの構成部品の斜視説明図であり、図７Ａは後側プレートの前側から見た斜視説明図、図７Ｂは後側プレートの後側から見た斜視説明図、図７Ｃは後側右側部支持部材の斜視説明図、図７Ｄは後側左側部支持部材の斜視説明図、図７Ｅは後側上端部連結プレートの斜視説明図である。
【図８】図８は右側ＩＩＴ支持部材の説明図であり、図８Ａは斜視説明図、図８Ｂは図８Ａの矢印ＶIIIＢ方向から見た図、図８Ｃは図８Ｂの矢印ＶIIIＣ方向から見た図、図８Ｄは図８Ｂの矢印ＶIIIＤ方向から見た図である。
【図９】図９は実施例１の画像形成装置を下方から見た図である。
【図１０】図１０は、画像形成装置の各支持部材の位置関係を示す説明図であり、図１０Ａは画像形成装置下面のフットとＩＩＴ支持部との関係を示す説明図、図１０ＢはＩＩＴ支持部の位置関係を示す説明図である。
【図１１】図１１はＩＩＴを下方から見た状態の斜視図である。
【図１２】図１２はＩＩＴが光学系組立調整用治具に支持された状態の側面図である。
【図１３】図１３はＩＩＴの光学系を調整する作業を実行する際の光学系組立調整用治具の説明図であり、図１３Ａは平面図、図１３Ｂは図１３Ａの矢印ＸIIIＢ方向から見た図である。
【図１４】図１４は光学系組立調整用治具の中央支持部材の説明図であり、図１４Ａは中央支持部材が光学系組立調整用治具から取り外された状態の説明図、図１４Ｂは中央支持部材の斜視説明図である。
【図１５】図１５は実施例２の画像読取装置の光学系調整方法で使用される光学系組立調整用治具の説明図であり、図１５Ａは平面図、図１５Ｂは図１５Ａの矢印ＸＶＢ方向から見た図である。
【図１６】図１６は実施例３の画像読取装置の光学系調整方法で使用される光学系組立調整用治具の説明図であり、図１６Ａは平面図、図１６Ｂは図１６Ａの矢印ＸＶＩＢ方向から見た図である。
【図１７】図１７は実施例１の図８に対応する実施例４の画像形成装置の右側ＩＩＴ支持部材の説明図であり、図１７Ａ右側ＩＩＴ支持部材の側面図、図１７Ｂは右側ＩＩＴ支持部の拡大説明図である。
【図１８】図１８は実施例４の画像形成装置の可動支持部材の作用説明図であり、図１８Ａは画像読取装置の本体のみが画像記録装置に装着された状態の説明図、図１８Ｂは画像読取装置とユーザインタフェースが装着された状態の説明図、図１８Ｃは画像読取装置とユーザインタフェースと自動原稿搬送装置が装着された状態の説明図である。
【図１９】図１９は実施例１の図１０Ｂに対応する実施例５の画像形成装置のＩＩＴ支持部の位置関係を示す説明図である。
【図２０】図２０は実施例６の画像読取装置の下方のから見た説明図であり、実施例１の図１１に対応する図である。
【符号の説明】
【００９５】
１２…２点支持部材、
１３，１３′…中央支持部材、
４１ｃ…前側支持部、
４１ｄ…後側支持部、
５１ａ、１５３…中央支持部、
６８…直線、
６９…直線、
８１…前側被支持部、
８２…後側被支持部、
８６，１８３〜１８６…中央被支持部、
１０１，１０１′，１０１″…光学系調整用治具、
１０３，１０３′…前側一側部支持部材、
１０３ａ′，１０４ａ′，１２１〜１２４…離脱防止部材、
１０４，１０４′…後側一側部支持部材、
１０６…前側他側部支持部材、
１０７…後側他側部支持部材、
１０９…中央他側部支持部材、
Ｇ０′，Ｇ１，Ｇ２…重心、
ＩＯＴ…画像記録装置、
ＩＩＴ…画像読取装置。
【図１】
2005260665.tif 000003
【図２】
2005260665.tif 000004
【図３】
2005260665.tif 000005
【図４】
2005260665.tif 000006
【図５】
2005260665.tif 000007
【図６】
2005260665.tif 000008
【図７】
2005260665.tif 000009
【図８】
2005260665.tif 000010
【図９】
2005260665.tif 000011
【図１０】
2005260665.tif 000012
【図１１】
2005260665.tif 000013
【図１２】
2005260665.tif 000014
【図１３】
2005260665.tif 000015
【図１４】
2005260665.tif 000016
【図１５】
2005260665.tif 000017
【図１６】
2005260665.tif 000018
【図１７】
2005260665.tif 000019
【図１８】
2005260665.tif 000020
【図１９】
2005260665.tif 000021
【図２０】
2005260665.tif 000022